(57)【特許請求の範囲】
【請求項１】
筐体と、
前記筐体に収容され、画像を表示するディスプレイモジュールと、
前記筐体に収容され、コネクタを有した電子部品と、
前記コネクタに接続されたフレキシブルケーブルと、
を具備し、前記フレキシブルケーブルは、
第１の面と、
前記第１の面の反対側に位置する第２の面と、
前記第１の面に設けられた第１の配線パターンと、
前記第２の面に設けられ、前記第１の配線パターンに電気的に接続された第２の配線パターンと、
前記第１の面に設けられて前記コネクタの端子と接触するとともに、前記第２の配線パターンに電気的に接続された端子パターンと、
前記第１の配線パターンの少なくとも一部を覆って前記第１の面に積層された第１のカバー部と、
前記第２の配線パターンを覆って前記第２の面に積層された第２のカバー部と、
前記第１の配線パターンと前記端子パターンとの間に設けられた絶縁体と、
を備えた電子機器。
【請求項２】
前記第１の配線パターンが前記端子パターンよりも細く、
前記第２の配線パターンが前記端子パターンよりも細い請求項１に記載の電子機器。
【請求項３】
前記端子パターンと重なる位置において、前記第２のカバー部に補強部が設けられた請求項１または２に記載の電子機器。
【請求項４】
前記第１のカバー部の縁部が前記第１の配線パターンから離れた請求項１または３に記載の電子機器。
【請求項５】
前記第１の配線パターンと前記第２の配線パターンとは、第１のスルーホールによって電気的に接続された請求項１または４に記載の電子機器。
【請求項６】
前記第２の配線パターンと前記端子パターンとは、第２のスルーホールによって電気的に接続された請求項１または５に記載の電子機器。
【請求項７】
前記絶縁体は、前記第１のカバー部を前記第１の面に接着する接着剤である請求項１または６に記載の電子機器。
【請求項８】
前記端子パターンは、前記第１のカバー部から離れて設けられた請求項１または７に記載の電子機器。
【請求項９】
筐体と、
前記筐体の内部に配置されたコネクタと、
前記コネクタに接続された部品と、を具備し、
前記部品は、
第１の面に設けられた第１の導電部と、
前記第１の面とは異なる第２の面に設けられ、前記第１の導電部に電気的に接続された第２の導電部と、
前記第１の面に設けられて前記コネクタの端子と接するとともに、前記第２の導電部に電気的に接続された第３の導電部と、
前記第１の導電部の少なくとも一部を覆った第１のカバー部と、
前記第２の導電部の少なくとも一部を覆った第２のカバー部と、
前記第１の導電部と前記第３の導電部との間に設けられた絶縁体と、
を備えた電子機器。
【発明の詳細な説明】
【技術分野】
【０００１】
本発明の実施形態は、電子機器に関する。
【背景技術】
【０００２】
テレビは、その内部にプリント配線板やチューナのような、種々の電子部品を備える。これらの電子部品は、例えばフレキシブルプリント配線板のような柔軟性を有するケーブルによって相互に接続される。
【先行技術文献】
【特許文献】
【０００３】
【特許文献１】特開２００７−１９４４５９号公報
【発明の概要】
【発明が解決しようとする課題】
【０００４】
前記ケーブルは、電子部品に設けられたコネクタに接続される。前記ケーブルは、配線パターンが曲げられて断線することを防ぐために、例えば補強板で補強される。しかし、ケーブルのような部品には、断線を抑制するために更なる改良の余地がある。
【０００５】
本発明の目的の一つは、導電部の断線を抑制できる電子機器を提供することにある。
【課題を解決するための手段】
【０００６】
一つの実施の形態に係る電子機器は、筐体と、ディスプレイモジュールと、電子部品と、フレキシブルケーブルとを備える。前記ディスプレイモジュールは、前記筐体に収容され、画像を表示する。前記電子部品は、前記筐体に収容され、コネクタを有する。前記フレキシブルケーブルは、前記コネクタに接続され、第１の面と、第２の面と、第１の配線パターンと、第２の配線パターンと、端子パターンと、第１のカバー部と、第２のカバー部と、絶縁体と、を備える。前記第２の面は、前記第１の面の反対側に位置する。前記第１の配線パターンおよび前記端子パターンは、前記第１の面に設けられる。前記第２の配線パターンは、前記第２の面に設けられ、前記第１の配線パターンに電気的に接続される。前記端子パターンは、前記コネクタの端子と接触するとともに、前記第２の配線パターンに電気的に接続される。前記第１のカバー部は、前記第１の配線パターンの少なくとも一部を覆って前記第１の面に積層される。前記第２のカバー部は、前記第２の配線パターンを覆って前記第２の面に積層される。前記絶縁体は、前記第１の配線パターンと前記端子パターンとの間に設けられる。
【図面の簡単な説明】
【０００７】
【図１】第１の実施の形態に係るテレビを示す正面図。
【図２】第１の実施形態の基板の一部およびフレキシブルケーブルの一部を示す斜視図。
【図３】第１の実施形態の基板の一部を示す断面図。
【図４】第１の実施形態のフレキシブルケーブルを示す斜視図。
【図５】第１の実施形態のフレキシブルケーブルの一部を示す平面図。
【図６】第１の実施形態のフレキシブルケーブルを図５のＦ６−Ｆ６線に沿って示す断面図。
【図７】第１の実施形態の曲げられたフレキシブルケーブルを示す断面図。
【図８】第２の実施の形態に係るフレキシブルケーブルの一部を示す平面図。
【図９】第２の実施形態のフレキシブルケーブルを図８のＦ９−Ｆ９線に沿って示す断面図。
【図１０】第３の実施の形態に係るフレキシブルケーブルの一部を示す平面図。
【図１１】第３の実施形態のフレキシブルケーブルを図１０のＦ１１−Ｆ１１線に沿って示す断面図。
【図１２】第４の実施の形態に係るポータブルコンピュータを示す斜視図。
【図１３】第５の実施の形態に係るスレートコンピュータを示す斜視図。
【発明を実施するための形態】
【０００８】
以下に、第１の実施の形態について、図１から図７を参照して説明する。図１は、第１の実施の形態に係るテレビ１０を示す正面図である。テレビ１０は、受信装置、表示装置、ディスプレイ、およびモニタのような、他の表現が可能な要素である。図１に示すように、テレビ１０は、筐体１１と、スタンド１２と、ディスプレイモジュール１３と、基板１４と、ストレージ１５と、フレキシブルケーブル１６とを有している。筐体１１は、外装部分、収容部、および壁部のような、他の表現が可能な要素である。ディスプレイモジュール１３は、表示部、表示装置、モジュール、および電子部品のような、他の表現が可能な要素である。基板１４は、電子部品の一例であり、扁平形状の部品、回路基板、および電子部品のような、他の表現が可能な要素である。ストレージ１５は、電子部品、他の部品、および接続機器のような、他の表現が可能な要素である。フレキシブルケーブル１６は、フレキシブルケーブルおよび部品の一例である。フレキシブルケーブル１６は、ケーブル、可撓性の部品、扁平形状の部品、コネクタ、接続部品、回路基板、および基板のような、他の表現が可能な要素である。
【０００９】
筐体１１は、扁平な箱型に形成されている。筐体１１の正面部に、開口部１１ａが設けられている。スタンド１２は、筐体１１の背面部に取り付けられ、筐体１１を支持している。
【００１０】
ディスプレイモジュール１３は、筐体１１に収容されている。ディスプレイモジュール１３は、例えば液晶ディスプレイであり、画像を表示する表示部１３ａを有している。なお、ディスプレイモジュール１３は、プラズマディスプレイや有機ＥＬディスプレイのような他の種類のディスプレイモジュールであっても良い。筐体１１の開口部１１ａから、ディスプレイモジュール１３の表示部１３ａが露出されている。
【００１１】
図１に破線で示すように、基板１４と、ストレージ１５と、フレキシブルケーブル１６とは、筐体１１に収容されている。言い換えると、基板１４と、ストレージ１５と、フレキシブルケーブル１６とは、筐体１１の中にある。基板１４は、例えばリジッドプリント配線板であり、コンデンサのような種々の部品が実装されている。なお、基板はこれに限らず、フレキシブルプリント配線板のような他の種類の基板であっても良い。
【００１２】
ストレージ１５は、例えば録画されたデータを保存するためのＨＤＤである。基板１４とストレージ１５とが、フレキシブルケーブル１６によって互いに接続されている。言い換えると、ストレージ１５は、フレキシブルケーブル１６によって基板１４とつながっている。
【００１３】
図２は、基板１４の一部とフレキシブルケーブル１６の一部とを示す斜視図である。図３は、基板１４の一部を示す断面図である。図２に示すように、基板１４の端部に、コネクタ２０が実装されている。コネクタ２０は、部品、接続部、接続部品、固定部、および嵌合部のような、他の表現が可能な要素である。図３に示すように、コネクタ２０は、ケース２１と、複数の端子２２とを有している。端子２２は、接続のための部位である。
【００１４】
図２に示すように、ケース２１は、扁平な箱状に形成され、基板１４に固定されている。ケース２１に、挿入口２１ａが設けられている。挿入口２１ａの形状は、フレキシブルケーブル１６に対応している。
【００１５】
図３に示すように、端子２２は、ケース２１の内部に位置するコンタクト部２４と、ケース２１の外に延びる接続部２５とをそれ有している。コンタクト部２４は、端子、導電部、通電部、挟持部、押圧部、および接触部のような、他の表現が可能な要素である。コンタクト部２４は、ケース２１の内部において、弾性的に変位可能である。接続部２５は、例えば基板１４の表面に形成されたパッドに接続されている。
【００１６】
コネクタ２０に、フレキシブルケーブル１６が接続されている。言い換えると、コネクタ２０に、フレキシブルケーブル１６が取り付けられている。フレキシブルケーブル１６は、ケース２１の挿入口２１ａから挿入される。フレキシブルケーブル１６は、ケース２１の内部で、端子２２のコンタクト部２４とケース２１の内面とに挟持されている。なお、フレキシブルケーブル１６を挟持する部分はケース２１の内面に限らず、ケース２１とは別の部品であっても良い。当該部品は、挟持部、および当接部のような、種々の表現が可能な要素である。
【００１７】
図４は、フレキシブルケーブル１６を示す斜視図である。図５は、フレキシブルケーブル１６の一部を示す平面図である。図６は、図５のＦ６−Ｆ６線に沿って示すフレキシブルケーブル１６の断面図である。
【００１８】
図４に示すように、フレキシブルケーブル１６は、フレキシブルプリント配線板である。なお、フレキシブルケーブルはこれに限らない。フレキシブルケーブル１６は、短冊状に形成されている。フレキシブルケーブル１６の両端部には、コネクタ２０およびストレージ１５に接続される端子部分１６ａ，１６ｂが設けられている。端子部分１６ａ，１６ｂは、導電性のパターンが露出した部分である。端子部分１６ａは、コネクタ２０に接続される。他方の端子部分１６ｂは、ストレージ１５に接続される。
【００１９】
図６に示すように、フレキシブルケーブル１６は、ベース部３１と、複数の第１の配線パターン３２と、複数の第２の配線パターン３３と、複数の端子パターン３４と、第１のカバー部３５と、第２のカバー部３６と、を備えている。ベース部３１は、扁平な部品、可撓性の部品、基礎、およびフィルム部のような、他の表現が可能な要素である。第１の配線パターン３２は、第１の配線パターンおよび第１の導電部の一例である。第２の配線パターン３３は、第２の配線パターンおよび第２の導電部の一例である。端子パターン３４は、端子パターンおよび第３の導電部の一例である。第１および第２の配線パターン３２，３３および端子パターン３４は、導電性の部分、導電性薄膜、および通電部分のような、他の表現が可能な要素である。第１および第２のカバー部３５，３６は、絶縁部、積層部、および被覆部のような、他の表現が可能な要素である。
【００２０】
ベース部３１は、例えばポリイミドによって形成されたベースフィルムである。なお、ベース部はこれに限らず、ポリエステルによって形成されたベースフィルム、積層板、または他の部品であっても良い。
【００２１】
ベース部３１は、例えば矩形状に形成され、可撓性を有した、フレキシブルケーブル１６の一部分である。ベース部３１は、第１の面４１と、第２の面４２とを有している。第２の面４２は、第１の面４１とは異なる面であり、第１の面４１の反対側に位置する。
【００２２】
第１の配線パターン３２は、ベース部３１の第１の面４１に設けられている。第１の配線パターン３２は、例えば、絶縁性の第１の接着剤４４によって第１の面４１に接着され、エッチングによってパターン形成された銅箔である。第１の接着剤４４は、接着部、接着層、または絶縁性の部分のような、他の表現が可能な要素である。第１の配線パターン３２の一方の端部３２ａは、ベース部３１の一方の端部３１ａから離れて位置している。
【００２３】
第２の配線パターン３３は、ベース部３１の第２の面４２に設けられている。第２の配線パターン３３は、例えば、絶縁性の第２の接着剤４５によって第２の面４２に接着され、エッチングによってパターン形成された銅箔である。第２の接着剤４５は、接着部、接着層、または絶縁性の部分のような、他の表現が可能な要素である。
【００２４】
図６に示すように、第２の配線パターン３３の一部３３ａは、第１の配線パターン３２の一方の端部３２ａと、ベース部３１を挟んで重なる位置に配置されている。第１の配線パターン３２の一方の端部３２ａは、一部、円形部分、および接続部分のような、他の表現が可能な要素である。第２の配線パターン３３の一部３３ａと、第１の配線パターン３２の一方の端部３２ａとは、第１のスルーホール４７によって電気的に接続されている。第２の配線パターン３３の一部３３ａは、円形部分、および接続部分のような、他の表現が可能な要素である。第１のスルーホール４７は、接続部、電気的接続部、貫通接続部、および層間接続部のような、他の表現が可能な要素である。すなわち、ベース部３１、第１の配線パターン３２の一方の端部３２ａ、および第２の配線パターン３３の一部３３ａを貫通する孔が設けられ、当該孔の内面にメッキ部４８が設けられることにより、第１の配線パターン３２と第２の配線パターン３３とが電気的に接続される。メッキ部４８は、例えば銅メッキのような導電体のメッキ部分である。
【００２５】
第１の配線パターン３２と第２の配線パターン３３との電気的接続は、第１のスルーホール４７によるものに限らない。例えば、他のバイアホールや、導電性の部品によって、第１の配線パターン３２と第２の配線パターン３３とが電気的に接続されても良い。
【００２６】
第２の配線パターン３３は、その一部３３ａから、ベース部３１の端部３１ａに向かってそれぞれ延びている。なお、第２の配線パターン３３は、ベース部３１の端部３１ａから離れるような経路を通って当該端部３１ａに向かっても良い。
【００２７】
端子パターン３４は、ベース部３１の第１の面４１に設けられている。端子パターン３４は、例えば、第１の接着剤４４によって第１の面４１に接着され、エッチングによってパターン形成された銅箔である。なお、上記の第１および第２の配線パターン３２，３３および端子パターン３４は、例えば導電性の接着剤のような他の種類の導電体によって形成されても良く、また線状の部分に限らず種々の部分であって良い。
【００２８】
端子パターン３４の一方の端部３４ａは、第１の配線パターン３２の一方の端部３２ａから離れて位置している。また、端子パターン３４の一方の端部３４ａは、第２の配線パターン３３の他の一部３３ｂと、ベース部３１を挟んで重なる位置に配置されている。端子パターン３４の一方の端部３４ａは、一部、円形部分、および接続部分のような、他の表現が可能な要素である。第２の配線パターン３３の他の一部３３ｂは、円形部分、および接続部分のような、他の表現が可能な要素である。
【００２９】
端子パターン３４の端部３４ａと、第２の配線パターン３３の他の一部３３ｂとは、第２のスルーホール４９によって電気的に接続されている。第２のスルーホール４９は、接続部、電気的接続部、貫通接続部、および層間接続部のような、他の表現が可能な要素である。すなわち、ベース部３１、第２の配線パターン３３の他の一部３３ｂ、および端子パターン３４の端部３４ａを貫通する孔が設けられ、当該孔の内面にメッキ部４８が設けられることにより、第２の配線パターン３３と端子パターン３４とが電気的に接続される。
【００３０】
端子パターン３４の他方の端部３４ｂは、ベース部３１の端部３１ａに位置している。すなわち、端子パターン３４は、一方の端部３４ａから、ベース部３１の端部３１ａに向かって延びている。
【００３１】
複数の端子パターン３４は、コネクタ２０の複数の端子２２に対応して設けられている。図５に示すように、複数の端子パターン３４は、ベース部３１の幅方向に、おおよそ等間隔で並んで配置されている。
【００３２】
図３に示すように、端子パターン３４に、コネクタ２０の端子２２のコンタクト部２４がそれぞれ接触する。言い換えると、端子パターン３４は、端子２２のコンタクト部２４にそれぞれ接する。
【００３３】
図５に示すように、第１の配線パターン３２の幅および第２の配線パターン３３の幅は同一であり、端子パターン３４の幅よりも狭い。言い換えると、第１および第２の配線パターン３２，３３は、端子パターン３４よりも細い。このため、第１および第２の配線パターン３２，３３の特性インピーダンスは、端子パターン３４での特性インピーダンスよりも高い。特性インピーダンスは、パターンの幅が広いと低くなり、パターンの幅が狭いと高くなる。また、第１の配線パターン３２の長さは、端子パターン３４の長さよりも長い。
【００３４】
第１のカバー部３５は、例えばポリイミドによって形成されたカバーフィルムである。第１のカバー部３５は、第１の配線パターン３２を全て覆って、第１の面４１に積層されている。言い換えると、第１のカバー部３５は、第１の面４１に重なっている。端子パターン３４は、第１のカバー部３５に覆われずに、外部に露出されている。別の表現を用いれば、第１の配線パターン３２は、第１のカバー部３５の縁の手前まで配設されている。
【００３５】
図６に示すように、第１のカバー部３５は、絶縁性の第３の接着剤５１によって、ベース部３１の第１の面４１と、第１の配線パターン３２とに貼り付けられている。第３の接着剤５１は、接着部、接着層、または絶縁性の部分のような、他の表現が可能な要素である。第２のスルーホール４９は、第１のカバー部３５から離れて設けられている。なお、第１のカバー部３５は、端子パターン３４の一部を覆っても良い。
【００３６】
第３の接着剤５１は、エッチングによって銅箔が除かれたベース部３１の第１の面４１に付着している。このため、第３の接着剤５１は、第１の配線パターン３２の一方の端部３２ａと、端子パターン３４の一方の端部３４ａとの間に介在している。言い換えると、第３の接着剤５１は、第１の配線パターン３２と端子パターン３４との間に位置する。
【００３７】
第２のカバー部３６は、例えばポリイミドによって形成されたカバーフィルムである。第２のカバー部３６は、第２の配線パターン３３を全て覆って、第２の面４２に積層されている。言い換えると、第２のカバー部３６は、第２の面４２に重なっている。
【００３８】
第２のカバー部３６は、絶縁性の第４の接着剤５２によって、ベース部３１の第２の面４２と、第２の配線パターン３３とに貼り付けられている。第４の接着剤５２は、接着部、接着層、または絶縁性の部分のような、他の表現が可能な要素である。なお、第２のカバー部３６は、第２の配線パターン３３の一部を覆うものでも良い。
【００３９】
上記のメッキ部４８は、第１のスルーホール４７の内面と、第２のスルーホール４９の内面だけでなく、第１の配線パターン３２の表面と、第２の配線パターン３３の表面と、端子パターン３４の表面とにそれぞれ設けられている。
【００４０】
第２のカバー部３６に、補強部５４が貼り付けられている。補強部５４は、板、扁平な部品、剛性付加部品、およびスペーサのような、他の表現が可能な要素である。補強部５４は、例えばポリイミドによって矩形の板状に形成されている。なお、補強部５４はこれに限らず、例えばポリイミドよりも剛性が高い他の材料によって形成されても良い。また、補強部５４は、例えば第２のカバー部３６の一部であっても良い。
【００４１】
補強部５４は、端子パターン３４と重なる位置に配置される。補強部５４が設けられることで、当該箇所のフレキシブルケーブル１６の剛性は、フレキシブルケーブル１６のその他の部分の剛性よりも高い。
【００４２】
補強部５４が設けられた箇所のフレキシブルケーブル１６の厚さは増加する。これにより、フレキシブルケーブル１６の厚さが、コネクタ２０のケース２１の挿入口２１ａに対応する。
【００４３】
ベース部３１の第１の面４１において、第１の配線パターン３２および端子パターン３４は、補強部５４の縁に重なる部分から外れている。言い換えると、補強部５４の縁は、第１の配線パターン３２と端子パターン３４との間の部分に重なる。
【００４４】
図３に示すように、フレキシブルケーブル１６がコネクタ２０に接続されると、補強部５４がケース２１の内面に当接する。コネクタ２０の端子２２のコンタクト部２４が、フレキシブルケーブル１６の端子パターン３４に当接すると、補強部５４がケース２１の内面に押圧される。このように、フレキシブルケーブル１６は、コネクタ２０の端子２２と、ケース２１の内面との間に挟持される。
【００４５】
以下に、フレキシブルケーブル１６の製造方法の一例について説明する。まず、ベース部３１の第１および第２の面４１，４２に、例えば圧延銅によって形成された銅箔を積層する。当該銅箔には、それぞれ、第１の接着剤４４または第２の接着剤４５がそれぞれ塗布されている。次に、第１および第２のスルーホール４７，４８が設けられる位置に、例えばドリルで孔を開ける。
【００４６】
次に、エッチングによって銅箔の一部を除去し、第１および第２の配線パターン３２，３３と、端子パターン３４とを形成する。当該エッチングにより、第１の配線パターン３２と端子パターン３４との間が途切れる。その後、上記孔の内面にメッキを施してメッキ部４８を形成することで、第１および第２のスルーホール４７，４９が形成される。
【００４７】
次に、第１の面４１に第３の接着剤５１が塗布された第１のカバー部３５を積層し、第２の面４２に第４の接着剤５２が塗布された第２のカバー部３６を積層する。ベース部３１、第１のカバー部３５、および第２のカバー部３６をプレスすることで、第１および第２のカバー部３５，３６がベース部３１に接着される。
【００４８】
次に、ベース部３１の余計な部分を切除することで、フレキシブルケーブル１６が形成される。その後、端子パターン３４と重なる位置において、第２のカバー部３６に補強部５４を貼り付ける。
【００４９】
図７は、曲げられたフレキシブルケーブル１６を示す断面図である。前記構成のフレキシブルケーブル１６は、例えば、フレキシブルケーブル１６をコネクタ２０に接続する際に、作業者によって図７の矢印に示すように曲げられることがある。
【００５０】
フレキシブルケーブル１６が図７のように曲げられると、曲げられたフレキシブルケーブル１６の外側に位置する部分が引っ張られる。すなわち、第１の配線パターン３２と、端子パターン３４とが引っ張られる。しかし、第１の面４１において第１の配線パターン３２と端子パターン３４との間が途切れているため、第１の配線パターン３２と端子パターン３４とにそれぞれ作用する引張力が逃げる。これにより、第１の配線パターン３２および端子パターン３４の断線を抑制できる。前記構成のフレキシブルケーブル１６は、製造工程の特別な変更および追加が不要であるため、製造コストの増加を抑制できる。
【００５１】
補強部５４の縁は、第１の配線パターン３２と端子パターン３４との間の部分に重なる。これにより、第１の配線パターン３２および端子パターン３４に作用する引張力が抑制され、第１の配線パターン３２および端子パターン３４の断線を抑制できる。
【００５２】
第１の配線パターン３２と端子パターン３４とは、第２の面４２に設けられた第２の配線パターン３３にそれぞれ電気的に接続されている。このため、第１の配線パターン３２と端子パターン３４との間を途切れさせても、第１の配線パターン３２と端子パターン３４とは電気的に接続される。
【００５３】
第１および第２の配線パターン３２，３３は、端子パターン３４よりも細い。このため、第１および第２の配線パターン３２，３３の特性インピーダンスを高くすることができ、高速伝送を実現できる。また、端子パターン３４が第１および第２の配線パターン３２，３３よりも太いため、端子パターン３４とコネクタ２０の端子２２のコンタクト部２４との接触不良を抑制できる。さらに、上記のように、第１および第２の配線パターン３２，３３を細くしたとしても、第１の配線パターン３２の断線は抑制される。
【００５４】
端子パターン３４と重なる位置において、第２のカバー部３６に補強部５４が設けられている。これにより、端子パターン３４が曲げられて断線することを抑制できる。また、フレキシブルケーブル１６が図７に示す矢印と逆方向に曲げられたとしても、補強部５４によって第２の配線パターン３３に作用する引張力が抑制される。したがって、第２の配線パターン３３の断線を抑制できる。
【００５５】
第１のカバー部３５が、第１の配線パターン３２を全て覆っている。これにより、図７に示すようにフレキシブルケーブル１６が曲げられたとしても、第１の配線パターン３２に作用する引張力が抑制される。また、応力が集中し易い第１のカバー部３５の縁から、第１の配線パターン３２が離れている。言い換えると、第１の面４１に設けられた導電部は、第１のカバー部３５の縁に接することなく、第２の面４２を経由して配設される。これにより、第１の配線パターン３２の断線を抑制できる。
【００５６】
第１の配線パターン３２と第２の配線パターン３３とは、第１のスルーホール４７によって電気的に接続されている。これにより、第１の配線パターン３２と第２の配線パターン３３とを容易に電気的に接続することができる。
【００５７】
第２の配線パターン３３と端子パターン３４とは、第２のスルーホール４９によって電気的に接続されている。これにより、第２の配線パターン３３と端子パターン３４とを容易に電気的に接続することができる。
【００５８】
第１の配線パターン３２と端子パターン３４との間に、絶縁性の第３の接着剤５１が介在している。これにより、第１の配線パターン３２と端子パターン３４とが接触することを防止できる。また、第１のカバー部３５を第１の面４１に接着する第３の接着剤５１を用いることで、容易に第１の配線パターン３２と端子パターン３４との間を絶縁でき、フレキシブルケーブル１６の製造コストの増加を抑制できる。
【００５９】
端子パターン３４は、第１のカバー部３５から離れて設けられている。これにより、露出した端子パターン３４の面積が小さくなることを防止でき、端子パターン３４とコネクタ２０の端子２２との接触が損なわれることを抑制できる。
【００６０】
なお、上記の実施の形態において、フレキシブルケーブル１６は基板１４とストレージ１５とを接続していたが、これに限らない。例えば、フレキシブルケーブル１６は、二つの基板を接続しても良い。
【００６１】
次に、図８および図９を参照して、第２の実施の形態について説明する。なお、以下に開示する実施形態において、第１の実施形態のテレビ１０と同一の機能を有する構成部分には同一の参照符号を付す。さらに、当該構成部分については、その説明を一部または全て省略することがある。
【００６２】
図８は、第２の実施の形態に係るフレキシブルケーブル１６の一部を示す平面図である。図９は、図８のＦ９−Ｆ９線に沿ってフレキシブルケーブル１６を示す断面図である。図８および図９に示すように、第２の実施形態における第２のスルーホール４９は、ベース部３１の端部３１ａに設けられている。
【００６３】
第２のスルーホール４９は、例えば半分に分割されている。図９に示すように、ベース部３１、第２の配線パターン３３の他の一部３３ｂ、および端子パターン３４の一方の端部３４ａに亘って切欠きが設けられ、当該切欠きの内面にメッキ部４８が設けられることにより、第２のスルーホール４９が形成されている。当該切欠きは溝、凹部、または他の表現で称し得る。第２のスルーホール４９によって、第２の配線パターン３３と端子パターン３４とが電気的に接続される。
【００６４】
第２の実施形態において、端子パターン３４の一方の端部３４ａは、ベース部３１の端部３１ａに位置している。これに対応し、第２の配線パターン３３の他の一部３３ｂは、ベース部３１の端部３１ａに位置している。
【００６５】
端子パターン３４の他方の端部３４ｂは、一方の端部３４ａよりも第１のカバー部３５に近い。すなわち、端子パターン３４は、一方の端部３４ａから、第１のカバー部３５に向かって延びている。
【００６６】
第２の実施形態の第２のスルーホールは、例えば次のように形成される。上述のフレキシブルケーブル１６の製造工程において、ベース部３１の余計な部分を切除することで、ベース部３１に設けられた孔を分割する。これにより、ベース部３１に設けられた孔が切欠きになる。当該切欠きの内面には第１のスルーホール４７と同時にメッキを施すことにより、メッキ部４８を形成している。これにより、第２の実施形態の第２のスルーホール４９が形成される。
【００６７】
前記構成のテレビ１０によれば、第１の実施形態と同様に、第１の面４１において第１の配線パターン３２と端子パターン３４との間が途切れている。このため、第１の配線パターン３２と端子パターン３４とにそれぞれ作用する引張力が逃げる。これにより、第１の配線パターン３２および端子パターン３４の断線を抑制できる。
【００６８】
第２のスルーホール４９が、ベース部３１の端部３１ａに設けられる。端子パターン３４の一方の端部３４ａは、メッキ部４８によってベース部３１の端部３１ａに固定される。これにより、端子パターン３４がベース部３１から剥がれることが抑制できる。
【００６９】
次に、図１０および図１１を参照して、第３の実施の形態について説明する。図１０は、第３の実施の形態に係るフレキシブルケーブル１６の一部を示す平面図である。図１１は、図１０のＦ１１−Ｆ１１線に沿ってフレキシブルケーブル１６を示す断面図である。
【００７０】
図１０に示すように、第１のカバー部３５は、第１の配線パターン３２の一部を覆っている。端部３２ａを含む第１の配線パターン３２の一部は、外部に露出されている。
【００７１】
前記構成のテレビ１０によれば、第１の実施形態と同様に、第１の面４１において第１の配線パターン３２と端子パターン３４との間が途切れている。このため、第１の配線パターン３２と端子パターン３４とにそれぞれ作用する引張力が逃げる。これにより、第１の配線パターン３２および端子パターン３４の断線を抑制できる。
【００７２】
次に、図１２を参照して、第４の実施の形態について説明する。図１２は、第４の実施の形態に係るポータブルコンピュータ６０を示す斜視図である。ポータブルコンピュータ６０は、電子機器の一例であり、ノート型コンピュータ、パーソナルコンピュータ、モバイルコンピュータ、および端末のような、他の表現が可能な要素である。図１２に示すように、ポータブルコンピュータ６０は、第１の筐体６１と、第２の筐体６２と、ディスプレイモジュール１３と、基板１４と、フレキシブルケーブル１６と、光ディスクドライブ６３とを備えている。第１および第２の筐体６１，６２は、外装部分、収容部、および壁部のような、他の表現が可能な要素である。第２の筐体６２は、筐体の一例である。光ディスクドライブ６３は、電子部品、他の部品、および接続機器のような、他の表現が可能な要素である。
【００７３】
第１の筐体６１は、扁平な箱状に形成されている。第１の筐体６１は、一対のヒンジ部６５によって、第２の筐体６２の後端部に回動可能に取り付けられている。第１の筐体６１は、第２の筐体６２の上に重なる閉じ位置と、第２の筐体６２の後端部から立ち上がる開き位置との間で回動する。
【００７４】
第１の筐体６１は、ディスプレイモジュール１３を収容している。言い換えると、ディスプレイモジュール１３は、第１の筐体６１の中にある。第１の筐体６１に開口部６１ａが設けられている。ディスプレイモジュール１３の表示部１３ａは、開口部６１ａから露出される。
【００７５】
第２の筐体６２は、扁平な箱状に形成されている。第２の筐体６２の上面に、キーボード６７と、タッチパッド６８と、一対のクリックボタン６９とが設けられている。図１２において、キーボード６７のキーは、一部省略して示される。
【００７６】
第２の筐体６２は、基板１４と、フレキシブルケーブル１６と、光ディスクドライブ６３とを収容している。言い換えると、基板１４と、フレキシブルケーブル１６と、光ディスクドライブ６３とは、第２の筐体６２の中にある。フレキシブルケーブル１６は、基板１４と光ディスクドライブ６３とを互いに接続している。
【００７７】
フレキシブルケーブル１６は、第１の実施形態のフレキシブルケーブル１６と同じもので、基板１４に実装されたコネクタ１６に接続されている。当該フレキシブルケーブル１６では、第１の面４１において第１の配線パターン３２と端子パターン３４との間が途切れている。このため、第１の配線パターン３２と端子パターン３４とにそれぞれ作用する引張力が逃げる。これにより、第１の配線パターン３２および端子パターン３４の断線を抑制できる。このように、フレキシブルケーブル１６は、ポータブルコンピュータ６０に利用できる。
【００７８】
なお、上記の実施の形態において、フレキシブルケーブル１６は基板１４と光ディスクドライブ６３とを接続していたが、これに限らない。例えば、フレキシブルケーブル１６は、二つの基板を接続しても良い。
【００７９】
次に、図１３を参照して、第５の実施の形態について説明する。図１３は、第五の実施の形態に係るスレートコンピュータ７０を示す斜視図である。スレートコンピュータ７０は、電子機器の一例であり、タブレット、板状のモジュール、および端末のような、他の表現が可能な要素である。スレートコンピュータ７０は、筐体１１と、ディスプレイモジュール１３と、基板１４と、フレキシブルケーブル１６と、他の基板７２とを備えている。他の基板７２は、電子部品、他の部品、および接続機器のような、他の表現が可能な要素である。
【００８０】
筐体１１は、ディスプレイモジュール１３と、基板１４と、フレキシブルケーブル１６と、他の基板７２とを収容している。言い換えると、ディスプレイモジュール１３と、基板１４と、フレキシブルケーブル１６とは、筐体１１の中にある。図１３に破線で示すように、フレキシブルケーブル１６は、基板１４と他の基板７２とを互いに接続している。
【００８１】
フレキシブルケーブル１６は、第１の実施形態のフレキシブルケーブル１６と同じもので、基板１４に実装されたコネクタ２０に接続されている。当該フレキシブルケーブル１６では、第１の面４１において第１の配線パターン３２と端子パターン３４との間が途切れている。このため、第１の配線パターン３２と端子パターン３４とにそれぞれ作用する引張力が逃げる。これにより、第１の配線パターン３２および端子パターン３４の断線を抑制できる。このように、フレキシブルケーブル１６は、スレートコンピュータ７０に利用できる。
【００８２】
なお、上記の実施の形態において、フレキシブルケーブル１６は基板１４と他の基板７２とを接続していたが、これに限らない。例えば、フレキシブルケーブル１６は、基板１４とディスプレイモジュール１３とを接続しても良い。
【００８３】
以上説明した少なくとも一つの実施形態によれば、第１の面に設けられた第１の配線パターンおよび端子パターンと、第２の面に設けられて前記第１の配線パターンおよび前記端子パターンに接続された第２の配線パターンと、を備えることにより、各パターンの断線を抑制できる。
【００８４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
以下に、本願の出願当初の特許請求の範囲の内容を付記する。
［１］筐体と、
前記筐体に収容され、画像を表示するディスプレイモジュールと、
前記筐体に収容され、コネクタを有した電子部品と、
前記コネクタに接続されたフレキシブルケーブルと、
を具備し、前記フレキシブルケーブルは、
第１の面と、
前記第１の面の反対側に位置する第２の面と、
前記第１の面に設けられた第１の配線パターンと、
前記第２の面に設けられ、前記第１の配線パターンに電気的に接続された第２の配線パターンと、
前記第１の面に設けられて前記コネクタの端子と接触するとともに、前記第２の配線パターンに電気的に接続された端子パターンと、
前記第１の配線パターンの少なくとも一部を覆って前記第１の面に積層された第１のカバー部と、
前記第２の配線パターンを覆って前記第２の面に積層された第２のカバー部と、
を備えたテレビ。
［２］前記第１の配線パターンが前記端子パターンよりも細く、
前記第２の配線パターンが前記端子パターンよりも細い［１］に記載のテレビ。
［３］前記端子パターンと重なる位置において、前記第２のカバー部に補強部が設けられた［１］または［２］に記載のテレビ。
［４］前記第１のカバー部の縁部が前記第１の配線パターンから離れた［１］または［３］に記載のテレビ。
［５］前記第１の配線パターンと前記第２の配線パターンとは、第１のスルーホールによって電気的に接続された［１］または［４］に記載のテレビ。
［６］前記第２の配線パターンと前記端子パターンとは、第２のスルーホールによって電気的に接続された［１］または［５］に記載のテレビ。
［７］前記第１の配線パターンと前記端子パターンとの間に、絶縁体が設けられた［１］または［６］に記載のテレビ。
［８］前記絶縁体は、前記第１のカバー部を前記第１の面に接着する接着剤である［７］に記載のテレビ。
［９］前記端子パターンは、前記第１のカバー部から離れて設けられた［１］または［８］に記載のテレビ。
［１０］筐体と、
前記筐体の内部に配置されたコネクタと、
前記コネクタに接続された部品と、を具備し、
前記部品は、
第１の面に設けられた第１の導電部と、
前記第１の面とは異なる第２の面に設けられ、前記第１の導電部に電気的に接続された第２の導電部と、
前記第１の面に設けられて前記コネクタの端子と接するとともに、前記第２の導電部に電気的に接続された第３の導電部と、
前記第１の導電部の少なくとも一部を覆った第１のカバー部と、
前記第２の導電部の少なくとも一部を覆った第２のカバー部と、
を備えた電子機器。
【符号の説明】
【００８５】
１０…テレビ、１１…筐体、１６…フレキシブルケーブル、２０…コネクタ、２２…端子、３２…第１の配線パターン、３３…第２の配線パターン、３４…端子パターン、３５…第１のカバー部、３６…第２のカバー部、４１…第１の面、４２…第２の面、４７…第１のスルーホール、４８…第２のスルーホール、５４…補強部、６０…ポータブルコンピュータ、６２…第２の筐体、７０…スレートコンピュータ。
【要約】
【課題】パターンの断線を抑制できるテレビを提供する。
【解決手段】一つの実施の形態に係るテレビは、筐体と、ディスプレイモジュールと、電子部品と、フレキシブルケーブルとを備える。前記電子部品はコネクタを有する。前記フレキシブルケーブルは、前記コネクタに接続され、第１の面と、第２の面と、第１の配線パターンと、第２の配線パターンと、端子パターンと、第１のカバー部と、第２のカバー部と、を備える。前記第１の配線パターンおよび前記端子パターンは、前記第１の面に設けられる。前記第２の配線パターンは、前記第２の面に設けられ、前記第１の配線パターンに電気的に接続される。前記端子パターンは、前記コネクタの端子と接触するとともに、前記第２の配線パターンに電気的に接続される。前記第１のカバー部は、前記第１の配線パターンの少なくとも一部を覆う。前記第２のカバー部は、前記第２の配線パターンを覆う。
【選択図】    図７【図１】
0005150761.tif 000002
【図２】
0005150761.tif 000003
【図３】
0005150761.tif 000004
【図４】
0005150761.tif 000005
【図５】
0005150761.tif 000006
【図６】
0005150761.tif 000007
【図７】
0005150761.tif 000008
【図８】
0005150761.tif 000009
【図９】
0005150761.tif 000010
【図１０】
0005150761.tif 000011
【図１１】
0005150761.tif 000012
【図１２】
0005150761.tif 000013
【図１３】
0005150761.tif 000014